(57)【特許請求の範囲】
【請求項１】
空気が排出される開口部を有する前面パネルと、
前記前面パネルに取り付けられて前記開口部を覆うファンガードと、
を備え、
前記ファンガードは、前記前面パネルの上下方向に沿った複数の縦桟を有し、
前記複数の縦桟は、前記前面パネルに取り付けられた第１縦桟を含み、
前記第１縦桟は、
前記前面パネルに沿って延びる中央部と、
前記中央部の上端部から後方斜め上方に延びる延長部と、
前記延長部の上端部から連続し、前方斜め上方に延びる規制部と、を有し、
前記前面パネルは、前記前面パネルを貫通している孔を形成しており、
前記ファンガードの前記延長部が、前記孔を貫通して前記孔の下縁部に当接し、
前記ファンガードの前記規制部が、前記前面パネルの背面側に位置した状態で前記ファンガードが前記前面パネルに取り付けられており、
前記規制部の前後方向の距離が、前記前面パネルの背面から前記延長部と前記孔の前記下縁部とが当接している位置までの水平方向の距離よりも大きい
空気調和機の室外機。
【請求項２】
前記前面パネルは、後方に凹んだガイドくぼみを有し、
前記ガイドくぼみは、前記前面パネルの前記孔の前記下縁部から連続して形成されている
請求項１に記載の空気調和機の室外機。
【請求項３】
前記ガイドくぼみは、
前記前面パネルが後方に凹んで形成されており、
下端が先細りの形状の導入部と、
前記導入部の上端から上方に延びる半円筒部と、により構成されており、
前記半円筒部の上端が前記下縁部を構成している
請求項２に記載の空気調和機の室外機。
【請求項４】
前記規制部は、
前記延長部に連続している一方の端部が前記下縁部よりも後方に位置しており、
他方の端部は、前記前面パネルの背面に当接している
請求項１〜３のいずれか一項に記載の空気調和機の室外機。
【請求項５】
前記下縁部は、前記孔の上縁部と共に前記孔を形成しており、
前記上縁部は、前記下縁部よりも前方に位置している
請求項１〜４のいずれか一項に記載の空気調和機の室外機。
【請求項６】
前記規制部の前後方向の距離と、前記前面パネルの背面から前記延長部と前記孔とが当接している位置までの水平方向の距離との差は、
前記第１縦桟の径よりも大きい
請求項１〜５のいずれか一項に記載の空気調和機の室外機。
【請求項７】
前記規制部及び前記延長部は、前記複数の縦桟のうちの中央の１本、又は前記前面パネルの左右方向に離れて対称に位置する少なくとも２本に形成されている
請求項１〜６のいずれか一項に記載の空気調和機の室外機。
【発明の詳細な説明】
【技術分野】
【０００１】
本発明は、空気調和機の室外機に関し、特に、空気調和機の室外機のファンガードの取付構造に関するものである。
【背景技術】
【０００２】
従来の空気調和機の室外機として、前面パネルに風路の開口部が形成された筐体と、複数の縦桟及び複数の横桟を組み合わせて構成され、筐体の開口部を覆うファンガードとを備えた室外機が知られている。一般的に、ファンガードは、重力でずり落ちないよう、前面パネルに形成された４箇所の差込みに仮固定され、その後本固定される。【０００３】
特許文献１には、開口部の上部に取り付けられるひさしを備えた室外機が開示されている。特許文献１の室外機が備えるひさしは、室外機の上部に積もった雪が解けて生じた水を、ベルマウスの右左へ流すために設けられている。これは、降雪地区において、室外機の上部に積もった雪が解けて流れた水がベルマウス内で凍結してプロペラファンに接触すると動作時の機械的破損に繋がるという問題を解消することを目的としている。【０００４】
特許文献１のひさしには、突起が設けられており、ひさしの突起にファンガードを係合させることでファンガードの下方への移動が規制され、ファンガードが前面パネルに仮固定される構成である。特許文献１は、ひさしにファンガードを仮固定する機能も持たせることで、ファンガードを仮固定するための構造として前面パネルに差込みを形成することを不要としている。
【先行技術文献】
【特許文献】
【０００５】
【特許文献１】特開２０１５−３４６５９号公報
【発明の概要】
【発明が解決しようとする課題】
【０００６】
雪が降らない地区においては特許文献１に記載されたようなひさしを設ける必要がない。しかし、特許文献１の室外機にひさしを設けない場合には、ひさしに設けた突起で実現していたファンガードの下方への移動の規制を実現することができない。そのため、ファンガードを前面パネルに取り付ける際ファンガードを仮固定することができず、作業性が悪化してしまう。【０００７】
一方、ひさしを設けない場合には、前面パネルに４箇所の差込みを形成しファンガードを仮固定するための構造を設けなければならず、製造工程が煩雑である。【０００８】
本発明は、上述のような課題を解決するためになされたものであり、簡易な構造によりファンガードを取り付ける際の作業性を向上させることができる空気調和機の室外機を提供することを目的とする。
【課題を解決するための手段】
【０００９】
本発明に係る空気調和機の室外機は、空気が排出される開口部を有する前面パネルと、前記前面パネルに取り付けられて前記開口部を覆うファンガードと、を備え、前記ファンガードは、前記前面パネルの上下方向に沿った複数の縦桟を有し、前記複数の縦桟は、前記前面パネルに取り付けられた第１縦桟を含み、前記第１縦桟は、前記前面パネルに沿って延びる中央部と、前記中央部の上端部から後方斜め上方に延びる延長部と、前記延長部の上端部から連続し、前方斜め上方に延びる規制部と、を有し、前記前面パネルは、前記前面パネルを貫通している孔を形成しており、前記ファンガードの前記延長部が、前記孔を貫通して前記孔の下縁部に当接し、前記ファンガードの前記規制部が、前記前面パネルの背面側に位置した状態で前記ファンガードが前記前面パネルに取り付けられており、前記規制部の前後方向の距離が、前記前面パネルの背面から前記延長部と前記孔の前記下縁部とが当接している位置までの水平方向の距離よりも大きいものである。
【発明の効果】
【００１０】
本発明によれば、ファンガードの少なくとも１本の桟が有する延長部が孔を形成する前面パネル１の下縁部に当接し、規制部が前面パネルの背面側に位置しており、ファンガードが孔に引っ掛けられている。これにより、ファンガードの下方への移動が規制されるため、ファンガードを仮固定することを容易にし、ファンガード取り付けの作業性を向上させることを簡易な構造により実現することができる。
【図面の簡単な説明】
【００１１】
【図１】本発明の実施の形態１に係る空気調和機の室外機の斜視図である。
【図２】本発明の実施の形態１に係る空気調和機の室外機の正面図である。
【図３】図２のＢ−Ｂ断面を示す断面図である。
【図４】本発明の実施の形態１に係る空気調和機の室外機のファンガードを取り外した状態の斜視図である。
【図５】図４のＡ部の拡大図である。
【図６】本発明の実施の形態１に係る空気調和機の室外機のファンガードを示す斜視図である。
【図７】本発明の実施の形態１に係る空気調和機の室外機のファンガードの第１係止部周辺の拡大図である。
【図８】本発明の実施の形態１に係る空気調和機の室外機のファンガードの第１係止部周辺の拡大図である。
【図９】本発明の実施の形態１に係る空気調和機の室外機のファンガードの第１係止部周辺を正面から見た正面図である。
【図１０】図９のＣ−Ｃ断面を示す断面図である。
【図１１】本発明の実施の形態１に係る空気調和機の室外機のファンガードの取付方法を説明する説明図である。
【図１２】図１１のファンガードを上方に移動させた状態を説明する説明図である。
【図１３】変形例に係る空気調和機の室外機のファンガードの第１係止部周辺の断面図である。
【発明を実施するための形態】
【００１２】
実施の形態１．
以下に、本実施の形態に係る空気調和機の室外機について説明する。なお、図面の形態は一例であり、本発明を限定するものではない。また、各図において同一の符号を付したものは、同一の又はこれに相当するものであり、これは明細書の全文において共通している。更に、以下の図面では各構成部材の大きさの関係が実際のものとは異なる場合がある。
【００１３】
＜室外機１００の全体構成＞
図１は、本発明の実施の形態１に係る空気調和機の室外機１００の斜視図である。図１に示すように、空気調和機の室外機１００は、筐体１０と、筐体１０の内部に設けられたファン４とを備える。筐体１０は、前面パネル１と、側面パネル２と、天面パネル３と、前面パネル１と対向する背面パネル６とにより構成されている。前面パネル１には、ファンガード５が取り付けられている。以下の説明において、筐体１０の前面パネル１が配置されている方向を「前」、筐体１０の背面パネル６が配置されている方向を「後」、筐体１０の前面パネル１に向かって左右方向を「左」及び「右」と呼ぶ。また、筐体１０の天面パネル３が配置されている方向を「上」、筐体１０の天面パネル３に対向する面が位置する方向を「下」と呼ぶ。
【００１４】
図２は、本発明の実施の形態１に係る空気調和機の室外機１００の正面図である。図２に示すように、室外機１００の前面パネル１に取り付けられるファンガード５は、複数の横桟５１と複数の縦桟５２とを組み合わせて構成されており、前面パネル１の開口部１ａを覆っている。ファンガード５は、作業者、ユーザ又は子供の手などがファン４に接触することを防ぐために設けられている。ファンガード５を構成する複数の横桟５１及び複数の縦桟５２は、例えば鉄線又はアルミニウムなどの金属のワイヤー部材から構成されている。ファンガード５を構成する部材は、金属に限定されず樹脂を用いてもよいが、難燃性を有する部材を用いることが望ましい。
【００１５】
ファンガード５を構成する横桟５１と縦桟５２とは、互いに直交している。横桟５１は、それぞれが前面パネル１の左右方向に延びるように設けられ、前面パネル１の上下方向に所定の間隔で複数配置されている。縦桟５２は、それぞれが筐体１０の上下方向に延びるように設けられ、前面パネル１の左右方向に所定の間隔で複数配置されている。縦桟５２の左右方向の間隔は、作業者、ユーザ又は子供の指などが挿入されることを防ぐことができる幅であればよい。横桟５１の上下方向の間隔は、縦桟５２の左右方向の間隔よりも大きくてもよい。横桟５１の上下方向の間隔を大きくすることでファンガード５による通風抵抗が低減される。
【００１６】
図３は、図２のＢ−Ｂ断面を示す断面図である。図３に示すように、筐体１０の内部に設置されるファン４は、前面パネル１に形成された開口部１ａの後方に位置している。ファン４には、モータ８が同軸上に取り付けられている。モータ８は、固定部材７に固定され、筐体１０に取り付けられている。ファン４及びモータ８と背面パネル６との間には、熱交換器１５が配置されている。ファン４がモータ８の駆動により回転すると、外気が筐体１０に形成された図示せぬ空気吸込口から筐体１０の内部に導入される。筐体１０に流入した外気は、熱交換器１５を通過しながら熱交換器１５の内部を流れる冷媒と熱交換した後、開口部１ａから排出される。
【００１７】
図４は、本発明の実施の形態１に係る空気調和機の室外機１００のファンガード５を取り外した状態の斜視図である。図４に示すように、ファンガード５を構成する複数の横桟５１及び複数の縦桟５２は、前面パネル１に平行に延びる中央部と、中央部の端部のから斜め後方に延びる屈曲部５３とを有する。
【００１８】
複数の縦桟５２は、ファンガード５の中央に対し左右方向に対称な位置に配置された２本の第１縦桟５２ａ、及び、２本の第２縦桟５２ｂを有する。第１縦桟５２ａ及び第２縦桟５２ｂよりも中央寄りで左右方向に対称な位置には、２本の第３縦桟５２ｃが設けられている。
【００１９】
前面パネル１には、表面の一部分に、表面が後方に凹んだ矩形部１ｅが形成されている。前面パネル１の矩形部１ｅの中心には、開口部１ａが形成されている。前面パネル１の矩形部１ｅには、上部の左右対称な位置に取付部１１が２箇所形成され、下部の左右対称な位置に固定部１ｃが２箇所形成されている。第１縦桟５２ａが取付部１１に取り付けられ、第２縦桟５２ｂが固定部１ｃに挿入されるネジ１ｄにより前面パネル１に固定されて、ファンガード５が前面パネル１の矩形部１ｅに取り付けられている。なお、第１縦桟５２ａは、本発明における少なくとも１本の桟の一例である。
【００２０】
図５は、図４のＡ部の拡大図である。図５に示すように、取付部１１は、孔１３と、ガイドくぼみ１２とから構成されている。図５は、取付部１１が前面パネル１に向かって右上に取り付けられた例を示しているが、左上にも同様の形状の取付部１１が設けられている。
【００２１】
孔１３は、前面パネル１の上縁部１３ａと、下縁部１３ｂとにより形成されており、前面パネル１を貫通している。
【００２２】
ガイドくぼみ１２は、前面パネル１の矩形部１ｅの一部が後方に凹む形状に形成されている。ガイドくぼみ１２は、例えば、前面パネル１を構成する板金などの部材を曲面状に塑性変形させて形成されている。ガイドくぼみ１２の下部は、正面視において下方に向けて先細りする形状を有する導入部１２ａになっている。ガイドくぼみ１２の上部は、導入部１２ａの上端から上方に延ばされた形状の半円筒部１２ｂになっている。半円筒部１２ｂは、上端の位置で切断された形状であり、切断部分が孔１３の下縁部１３ｂとなっている。
【００２３】
導入部１２ａを形成する前面パネル１と、半円筒部１２ｂを形成する前面パネル１とは、互いに滑らかに連なっている。導入部１２ａと半円筒部１２ｂとにより取付部１１を形成することで第１縦桟５２ａを導入部１２ａから半円筒部１２ｂに沿って移動させることができることとなる。このように、ガイドくぼみ１２により図４に図示する第１縦桟５２ａの取付部１１への取り付けを容易にしている。
【００２４】
孔１３の下縁部１３ｂは、前面パネル１が後方に凹んで形成された半円筒部１２ｂの上端が切断された形状であり、後方に向けて湾曲した形状になっている。そのため、孔１３が斜め下方を向いて開口することとなり、第１縦桟５２ａを取付部１１の孔１３に取り付けることが容易になる。半円筒部１２ｂの切断面は、前面パネル１に対し垂直でもよいが、前面パネル１に対し垂直な面から前方が上方に位置するように傾斜しているほうが孔１３が前面下方に向けて開口するため好ましい。
【００２５】
＜ファンガード５の構成＞
図６は、本発明の実施の形態１に係る空気調和機の室外機１００のファンガード５を示す斜視図である。図６に示すように、ファンガード５の第１縦桟５２ａは、上部に第１係止部５２１を備え、第２縦桟５２ｂは、下部に第２係止部５２２を備える。第３縦桟５２ｃは、上部に設けられた当接部５２３と、下部に設けられた当接部５２３と同様の図示せぬ当接部とを備える。
【００２６】
第１縦桟５２ａの第１係止部５２１は、図４に示す前面パネル１の取付部１１に挿入されている。これにより、ファンガード５が図４に示す開口部１ａを覆うように前面パネル１に仮固定されている。第２縦桟５２ｂの第２係止部５２２は、下端が正面視で円形に曲げられた形状であり、第２係止部５２２に挿通された図４に示すネジ１ｄが前面パネル１の固定部１ｃで締結されて、ファンガード５が前面パネル１に固定される。
【００２７】
第３縦桟５２ｃの当接部５２３は、第３縦桟５２ｃの端部において、屈曲部５３が前面パネル１の表面に対し垂直な方向に更に屈曲された形状であり、図４に示す前面パネル１の表面に当接している。当接部５２３は、前面パネル１に当接し、ファンガード５の後方への移動を規制する。
【００２８】
なお、第１縦桟５２ａは、２本に限定されず、ファンガード５に少なくとも１本設けられていればよく、３本以上設けられていてもよいが、ファンガード５の中央、又は、ファンガード５の中央に対し左右方向に均等に配置されていることが望ましい。また、第２縦桟５２ｂは、２本に限定されず、ファンガード５に少なくとも１本設けられていればよく、３本以上設けられていてもよいが、ファンガード５の中央、又は、ファンガード５の中央に対し左右方向に均等に配置されていることが望ましい。また、第３縦桟５２ｃは、ファンガード５に少なくとも１本設けられていればよく、２本以上設けられていてもよい。また、第３縦桟５２ｃは、上部と下部とに当接部５２３が設けられた構成でもよく、上部に当接部５２３が設けられた第３縦桟５２ｃと、下部に当接部５２３が設けられた第３縦桟５２ｃとを個別に配置した構成であってもよい。
【００２９】
＜第１縦桟５２ａの構成＞
図７は、本発明の実施の形態１に係る空気調和機の室外機１００のファンガード５の第１係止部５２１の拡大図である。図７に示すように、第１縦桟５２ａの第１係止部５２１は、延長部５２１ａと、規制部５２１ｂとを有する。延長部５２１ａは、第１縦桟５２ａの中央部の端部から上方斜め後方に、屈曲部５３と平行に延びている。
【００３０】
延長部５２１ａは、屈曲部５３よりも長く、中央部とは反対に位置する後方の端部が屈曲部５３の後方の端部よりも後方に位置している。規制部５２１ｂは、延長部５２１ａの後方の端部で屈曲し、上方斜め前方に延びている。
【００３１】
図８は、本発明の実施の形態１に係る空気調和機の室外機１００のファンガード５の第１係止部５２１周辺の拡大図である。図９は、本発明の実施の形態１に係る空気調和機の室外機１００のファンガード５の第１係止部５２１周辺を正面から見た正面図である。図１０は、図９のＣ−Ｃ断面を示す断面図である。図８〜図１０は、第１係止部５２１が前面パネル１の取付部１１に取り付けられた状態を示している。
【００３２】
図８〜図１０に示すように、第１係止部５２１の延長部５２１ａは、前面パネル１に開口する孔１３に挿通し、孔１３を形成する前面パネル１の下縁部１３ｂに当接している。規制部５２１ｂは、前面パネル１の背面側に位置しており、前方の端部が前面パネル１の背面に接触している。ここで、規制部５２１ｂの一方の端部は、延長部５２１ａの後方の端部から連続している後方の端部である。規制部５２１ｂの他方の端部は、延長部５２１ａから連続する端部とは反対の端部であり、前方の端部である。
【００３３】
規制部５２１ｂの前後方向の寸法Ｄは、前面パネル１の背面からガイドくぼみ１２の最深部までの寸法Ｅよりも大きくなっている。ここで、規制部５２１ｂの前後方向の寸法Ｄとは、規制部５２１ｂの前方の端部から規制部５２１ｂの後方の端部までの水平方向の距離である。また、前面パネル１の背面からガイドくぼみ１２の最深部までの寸法Ｅとは、前面パネル１の背面から延長部５２１ａと孔１３の下縁部１３ｂとが当接している位置までの水平方向の距離である。
【００３４】
ファンガード５は、第１係止部５２１が前面パネル１の取付部１１に取り付けられると、延長部５２１ａが孔１３を形成する前面パネル１の下縁部１３ｂに当接し、規制部５２１ｂの前方の端部が前面パネル１の背面に接触した状態となる。これによりファンガード５の下方への移動と前方への移動が規制され、ファンガード５が前面パネル１に仮固定された状態となる。
【００３５】
なお、寸法Ｄと寸法Ｅとの差は、少なくとも第１縦桟５２ａの半径よりも大きいとよく、第１縦桟５２ａの径よりも大きいことが望ましい。第１縦桟５２ａの径とは、延長部５２１ａの後方の端部から規制部５２１ｂが上方斜め前方に屈曲している部分における第１縦桟５２ａの径である。寸法Ｄと寸法Ｅとの差が第１縦桟５２ａの半径よりも小さいと、振動などにより延長部５２１ａの後方の端部が、孔を形成する前面パネル１の下縁端よりも前方にずれ、仮固定されたファンガード５が落下しやすい。寸法Ｄと寸法Ｅとの差を第１縦桟５２ａの径よりも大きくすることで、延長部５２１ａの後方の端部が下縁部１３ｂよりも第１縦桟５２ａの径の分だけ後方に位置するため、延長部５２１ａが前面パネル１の下縁部１３ｂに当接した状態が安定的に維持される。これにより、ファンガード５の下方への移動が確実に規制される。
【００３６】
＜ファンガード５の取付方法＞
図１１は、本発明の実施の形態１に係る空気調和機の室外機１００のファンガード５の取付方法を説明する説明図である。図１１に示すように、ファンガード５の取り付けにおいては、まず、ファンガード５の上端が下端よりも後方に位置するようにファンガード５を傾斜させ、第１係止部５２１の規制部５２１ｂを前面パネル１のガイドくぼみ１２の導入部１２ａに位置させる。そして、規制部５２１ｂがガイドくぼみ１２の半円筒部１２ｂに沿うようにファンガード５を図１１の矢印で示すように上方に移動させる。
【００３７】
図１２は、図１１のファンガード５を上方に移動させた状態を説明する説明図である。図１２に示すように、上方に移動させたファンガード５の第１係止部５２１をガイドくぼみ１２の上部に形成された孔１３に挿通させる。このとき、ガイドくぼみ１２の半円筒部１２ｂの端部の孔１３を、規制部５２１ｂが通過する。そして、ファンガード５を、延長部５２１ａと孔１３の下縁部１３ｂとが接する位置を支点として、ファンガード５の下端が前面パネル１に近づくように図１２の矢印の方向に回動させる。
【００３８】
規制部５２１ｂの上端が前面パネル１の背面に当接し、当接部５２３が前面パネル１の表面に当接すると、図１０に示す状態となり、ファンガード５の下端の後方への移動が規制されてファンガード５の移動が終了する。ファンガード５の移動が終了した時点において、延長部５２１ａの後方の端部は、前面パネル１の下縁部１３ｂに当接しており、ファンガード５の下方への移動が規制されている。また、規制部５２１ｂの前方の端部は、前面パネル１の背面に当接し、前方への移動が規制されている。このように、ファンガード５が孔１３を形成する前面パネル１の下縁部１３ｂに引っ掛かり、仮固定されてその状態が維持される。
【００３９】
ファンガード５が仮固定された状態で、ファンガード５の第２係止部５２２と前面パネル１の固定部１ｃをネジ止めすることで、ファンガード５が固定される。
【００４０】
なお、規制部５２１ｂの水平方向の寸法は、規制部５２１ｂが当接部５２３とともにファンガード５の前後方向の移動が規制できればよく、限定されない。規制部５２１ｂは、ファンガード５が固定された状態で、前面パネル１の背面に単に接触するだけでなく、押圧するように長さが決められているとよい。また、当接部５２３は、ファンガード５が固定された状態で、前面パネル１の前面に単に接触するだけでなく、押圧するように長さが決められているとよい。このような構成により、前面パネル１には、規制部５２１ｂから前面に向く押圧力が付与され、当接部５２３から後方に向く押圧力が付与される。規制部５２１ｂから前面パネル１に作用する力と、当接部５２３から前面パネル１に作用する力とを拮抗させることで前後方向の移動が規制され、ファンガード５の微小な振動を抑制できる。
【００４１】
また、延長部５２１ａ及び規制部５２１ｂの水平方向の寸法の比率は特に限定されず、延長部５２１ａと規制部５２１ｂとの成す角は特に限定されない。延長部５２１ａの水平方向の寸法とは、延長部５２１ａの前方の端部から延長部５２１ａの後方の端部までの水平方向の距離である。ただし、延長部５２１ａの水平方向の寸法が規制部５２１ｂの水平方向の寸法と比較して大きすぎると、室外機の大型化に繋がり望ましくない。また、規制部５２１ｂの水平方向の寸法が延長部５２１ａの水平方向の寸法と比較して大きすぎる場合には、図１１に示す挿入時にファンガード５を大きく傾斜させなければならず作業が繁雑となるため望ましくない。また、延長部５２１ａと規制部５２１ｂとの成す角が、例えば、４５°以下などで小さすぎる場合も同様に、作業が繁雑となり望ましくない。例えば、延長部５２１ａと規制部５２１ｂとの水平方向の寸法の比率が１０：３から１０：４であり、延長部５２１ａと規制部５２１ｂとの成す角が９０°以上１２０°以下であると取付作業が容易となり望ましい。
【００４２】
＜変形例＞
図１３は、変形例に係る空気調和機の室外機１００のファンガード５の第１係止部５２１周辺の断面図である。変形例においては、前面パネル１に孔１３を形成する上縁部１３ａおよび下縁部１３ｂが設けられており、後方に凹むガイドくぼみ１２は設けられていない。規制部５２１ｂの前後方向の寸法Ｄは、前面パネル１の背面から延長部５２１ａと下縁部１３ｂとが当接している位置までの寸法Ｅよりも大きい。
【００４３】
この場合にも、ファンガード５の第１係止部５２１が前面パネル１に取り付けられると、延長部５２１ａが孔１３を形成する前面パネル１の下縁部１３ｂに当接し、規制部５２１ｂの前方の端部が前面パネル１の背面に接触した状態となる。そのため、ファンガード５の下方への移動が規制されて、ファンガード５を前面パネル１に仮固定することができる。
【００４４】
以上説明した、本実施の形態に係る空気調和機の室外機１００は、ファンガード５の複数の縦桟５２の少なくとも１本である第１縦桟５２ａに第１係止部５２１が設けられている。第１係止部５２１は、斜め後方に向けて延びる延長部５２１ａと、延長部５２１ａから連続し前方に向けて延びる規制部５２１ｂとを有し、規制部５２１ｂの前後方向の寸法Ｅが、前面パネル１の背面から孔１３の下縁部１３ｂまでの距離よりも大きい。そのため、延長部５２１ａが前面パネル１の取付部１１の孔１３に挿通され、規制部５２１ｂが前面パネル１の背面側に位置すると延長部５２１ａが前面パネル１の下縁部１３ｂに当接した構成となり、ファンガード５の下方への移動が規制される。これにより、簡易な構造によりファンガード５が筐体１０の前面パネル１に仮固定される。そのため、組立時に一時的にファンガード５から手を離してもファンガード５が筐体１０から脱落することを防止し、ファンガード５の取り付けの作業性を向上させることができる。
【００４５】
また、ガイドくぼみ１２が孔１３を形成する前面パネル１の下縁部１３ｂから連続しており、第１係止部５２１の規制部５２１ｂをガイドくぼみ１２に沿って移動させることで規制部５２１ｂが孔１３に誘導される。このため、ファンガード５の取り付けがより容易になる。
【００４６】
また、ガイドくぼみ１２は、導入部１２ａと、半円筒部１２ｂとが連続した構成であり、半円筒部１２ｂの上端が孔１３を形成する前面パネル１の下縁部１３ｂになっている。そのため、第１係止部５２１の規制部５２１ｂを取付部１１に位置させること、規制部５２１ｂを誘導すること、及び、規制部５２１ｂを孔１３に貫通させることが容易である。また、ファンガード５を取り付ける際の回動の支点となる前面パネル１の下縁部１３ｂが上縁部１３ａよりも後方に位置することとなり、第１係止部５２１の位置が安定するためファンガード５の下方への移動を確実に規制できる。
【００４７】
また、規制部５２１ｂの端部のうち、延長部５２１ａに連続している一端が下縁部１３ｂよりも後方に位置していることで、ファンガード５の下方への移動が規制される。規制部５２１ｂの前方に位置する他方の端部が前面パネル１の背面に当接していることで、ファンガード５の前方への移動が規制される。これにより、ファンガード５が前面パネル１に仮固定され、組立時にファンガード５が筐体１０から脱落することを防止することができる。
【００４８】
また、孔１３を形成する前面パネル１の上縁部１３ａが前面パネル１の下縁部１３ｂよりも前方に位置することで、孔１３が下方に開口するため、第１係止部５２１を孔１３に挿入することが容易になる。
【００４９】
また、延長部５２１ａと前面パネル１の下縁部１３ｂとの当接位置から規制部５２１ｂの後方の端部までの水平方向の距離が第１縦桟５２ａの径よりも大きい。これにより、延長部５２１ａが前面パネル１の下縁部１３ｂに当接した状態が安定的に維持され、ファンガード５の下方への移動が確実に規制される。
【００５０】
また、第１係止部５２１が形成される第１縦桟５２ａが中央、又は、左右対称に位置することで、ファンガード５が仮固定されたときにファンガード５の高さに左右差が生じることを抑制することができる。
【符号の説明】
【００５１】
１  前面パネル、１ａ  開口部、１ｃ  固定部、１ｄ  ネジ、１ｅ  矩形部、２  側面パネル、３  天面パネル、４  ファン、５  ファンガード、６  背面パネル、７  固定部材、８  モータ、１０  筐体、１１  取付部、１２  ガイドくぼみ、１２ａ  導入部、１２ｂ  半円筒部、１３  孔、１３ａ  上縁部、１３ｂ  下縁部、１５  熱交換器、５１  横桟、５２  縦桟、５２ａ  第１縦桟、５２ｂ  第２縦桟、５２ｃ  第３縦桟、５３  屈曲部、１００  室外機、５２１  第１係止部、５２１ａ  延長部、５２１ｂ  規制部、５２２  第２係止部、５２３  当接部。
【図１】
0006949247.tif 000002
【図２】
0006949247.tif 000003
【図３】
0006949247.tif 000004
【図４】
0006949247.tif 000005
【図５】
0006949247.tif 000006
【図６】
0006949247.tif 000007
【図７】
0006949247.tif 000008
【図８】
0006949247.tif 000009
【図９】
0006949247.tif 000010
【図１０】
0006949247.tif 000011
【図１１】
0006949247.tif 000012
【図１２】
0006949247.tif 000013
【図１３】
0006949247.tif 000014